(57)【要約】【課題】閉鎖弁取付板の組立作業性に優れ、しかも組立後においても閉鎖弁取付板を長期にわたって安定して底板に立設することができる空気調和機の室外機を提供する。【解決手段】底板４と、底板４の側部から立設される閉鎖弁取付板２４とを有する室外機ケーシング３を備えた空気調和機の室外機である。底板４に嵌合用凹部３５を設けると共に、閉鎖弁取付板２４の下部に嵌合用凹部３５に嵌合する嵌合部３６を設ける。閉鎖弁取付板２４の嵌合部３６を底板４の嵌合用凹部３５に嵌合させた状態での閉鎖弁取付板２４の底板４からの自立した起立を可能とする。起立状態での外側方からの止定部材５５による閉鎖弁取付板２４の底板４への固定を可能とする。【選択図】図１
2005055127.tif 000002
【特許請求の範囲】
【請求項１】
底板（４）と、この底板（４）の側部から立設される閉鎖弁取付板（２４）とを有する室外機ケーシング（３）を備えた空気調和機の室外機において、上記底板（４）に嵌合用凹部（３５）を設けると共に、上記閉鎖弁取付板（２４）の下部にこの嵌合用凹部（３５）に嵌合する嵌合部（３６）を設け、上記閉鎖弁取付板（２４）の嵌合部（３６）を底板（４）の嵌合用凹部（３５）に嵌合させた状態での閉鎖弁取付板（２４）の底板（４）からの自立した起立を可能とし、この起立状態での外側方からの止定部材（５５）による閉鎖弁取付板（２４）の底板（４）への固定を可能としたことを特徴とする空気調和機の室外機。
【請求項２】
上記嵌合用凹部（３５）に突隆部（４６）を設けると共に、上記閉鎖弁取付板（２４）の嵌合部（３６）に上記突隆部（４６）に嵌合する凹所（５０）を設け、これらの嵌合による閉鎖弁取付板（２４）の底板前後方向位置決めを行うことを特徴とする請求項１の空気調和機の室外機。
【請求項３】
上記底板（４）の周囲に設けられた立上壁（１１）の一方の短辺対応部（１１ａ）の内面に上記閉鎖弁取付板（２４）の嵌合部（３６）の外面が当接した状態で、上記止定部材（５５）にてこの閉鎖弁取付板（２４）が底板（４）に固定されると共に、上記嵌合用凹部（３５）の内面の一部を、閉鎖弁取付板（２４）の嵌合部（３６）の一部を受けてこの閉鎖弁取付板（２４）の底板左右方向位置決めを行う受面部（５４）としたことを特徴とする請求項１又は請求項２の空気調和機の室外機。
【請求項４】
上記閉鎖弁取付板（２４）の嵌合部（３６）は、上下方向に延びて立上壁（１１）の内面に対面する上下方向部（３７）と、この上下方向部（３７）の下端から水平方向に延びて上記嵌合用凹部（３５）の底面に載置される水平方向部（３８）と、この水平方向部（３８）の先端から上方に向かって上記上下方向部（３７）から離れるように斜めに立ち上って上記受面部（５４）に当接する立上部（３９）とからなることを特徴とする請求項３の空気調和機の室外機。
【請求項５】
上記嵌合用凹部（３５）の突隆部（４６）は、底板左右方向の長手方向に沿って上記嵌合部（３６）の上下方向部（３７）と水平方向部（３８）と立上部（３９）とに対応して形成されることを特徴とする請求項４の空気調和機の室外機。
【請求項６】
上記閉鎖弁取付板（２４）の嵌合部（３６）の上下方向部（３７）に、凹部又は凸部からなる取付板側係合部（６２）を設けると共に、上記底板（４）の立上壁（１１）に、上記取付板側係合部（６２）が係合する凸部又は凹部からなる底板側係合部（６３）を設けたことを特徴とする請求項４又は請求項５の空気調和機の室外機。
【発明の詳細な説明】
【技術分野】
【０００１】
この発明は、空気調和機の室外機に関するものである。
【背景技術】
【０００２】
空気調和機には室外機と室内機とを備えた分離型があり、このような場合、室外機と室内機との間に、ガス管及び液管から成る冷媒配管が接続される。そしてこの冷媒配管を介して室外機と室内機との間に冷媒を循環させ、冷熱又は温熱を搬送して室内の空調を行うようになっている。ただ空気調和機の設置時やメンテナンス時においては、室外機と室内機との間に冷媒配管を接続していない場合もあり、このような場合には室外機から冷媒が漏出するのを防止する必要がある。そこでガス管及び液管の室外機出口側に、それぞれ外部から開閉操作可能なガス閉鎖弁及び液閉鎖弁を設け、室外機からの冷媒の漏出を防止できるようにしている。そしてこれに伴って室外機には、上記ガス閉鎖弁及び液閉鎖弁を外部に露出させるよう取付ける閉鎖弁取付板が設けられている。そして、閉鎖弁取付板は、室外機ケーシングの底板（底フレーム）に取付けられる（例えば、特許文献１参照）。
【０００３】
すなわち、この特許文献１に記載のものでは、閉鎖弁取付板に係止爪を設けると共に、底板にこの係止爪が係止する係止孔を設けていた。このため、閉鎖弁取付板の係止爪を底板の係止孔に係止させることによって、閉鎖弁取付板を底板に対して立設するものである。
【特許文献１】特開２００２−５４８２３号公報（第３−５頁、第１図）
【発明の開示】
【発明が解決しようとする課題】
【０００４】
従って、上記特許文献１に記載のものでは、係止爪と係止孔とを設ける必要があり、製造工程が多くなると共に、構造の複雑化を招いていた。しかも、組立てる際に、係止爪を係止孔に係止させる必要があり、その作業性に劣ると共に、係止爪としても強度的に優れているといえず、この組立工程中等にこの係止爪が損傷するおそれもある。また、係止孔として、下方に開口するように形成される場合があり、このような場合にはこの係止孔を介してドレン水が外部へ流れ出すおそれがある。すなわち、底板に溜まるドレン水は、底板に設けられたドレン水排出溝を介して、ドレンパイプが接続されたドレン水排出孔から外部へ排出される。このため、ドレン水排出孔から排出されなければ、この空気調和機の室外機が設置された設置部をドレン水にて汚すことになっていた。また、底板に係止孔を設けることによって、底板の強度を損なうおそれもある。
【０００５】
この発明は上記従来の欠点を解決するためになされたものであって、その目的は、閉鎖弁取付板の組立作業性に優れ、しかも組立後においても閉鎖弁取付板を長期にわたって安定して底板に立設することができる空気調和機の室外機を提供することにある。
【課題を解決するための手段】
【０００６】
そこで請求項１の空気調和機の室外機は、底板４と、この底板４の側部から立設される閉鎖弁取付板２４とを有する室外機ケーシング３を備えた空気調和機の室外機において、上記底板４に嵌合用凹部３５を設けると共に、上記閉鎖弁取付板２４の下部にこの嵌合用凹部３５に嵌合する嵌合部３６を設け、上記閉鎖弁取付板２４の嵌合部３６を底板４の嵌合用凹部３５に嵌合させた状態での閉鎖弁取付板２４の底板４からの自立した起立を可能とし、この起立状態での外側方からの止定部材５５による閉鎖弁取付板２４の底板４への固定を可能としたことを特徴としている。
【０００７】
請求項１の空気調和機の室外機では、閉鎖弁取付板２４の嵌合部３６を底板４の嵌合用凹部３５に嵌合させた状態での閉鎖弁取付板２４の底板４からの自立した起立を可能としたので、閉鎖弁取付板２４の嵌合部３６を底板４の嵌合用凹部３５に嵌合させるのみで、閉鎖弁取付板２４は底板４から起立した状態となる。このため、止定部材５５による閉鎖弁取付板２４の底板４への固定作業において、閉鎖弁取付板２４の底板４からの起立状態が維持されることになり、その作業者は閉鎖弁取付板２４を支持しなくて済む。
【０００８】
請求項２の空気調和機の室外機は、上記嵌合用凹部３５に突隆部４６を設けると共に、上記閉鎖弁取付板２４の嵌合部３６に上記突隆部４６に嵌合する凹所５０を設け、これらの嵌合による閉鎖弁取付板２４の底板前後方向位置決めを行うことを特徴としている。
【０００９】
上記請求項２の空気調和機の室外機では、閉鎖弁取付板２４の嵌合部３６を底板４の嵌合用凹部３５に嵌合させた状態では、嵌合部３６の凹所５０に嵌合用凹部３５の突隆部４６が嵌合して、この閉鎖弁取付板２４の底板前後方向位置決めがなされる。このため、閉鎖弁取付板２４を一層安定した状態で起立させることができ、閉鎖弁取付板２４の起立状態でのガタツキを防止すると共に、閉鎖弁取付板２４を底板４での規定の場所に精度良く立設することが可能である。しかも、嵌合用凹部３５の突隆部４６及び嵌合部３６の凹所５０にて補強用のビード部を構成することができる。
【００１０】
請求項３の空気調和機の室外機は、上記底板４の周囲に設けられた立上壁１１の一方の短辺対応部１１ａの内面に上記閉鎖弁取付板２４の嵌合部３６の外面が当接した状態で、上記止定部材５５にてこの閉鎖弁取付板２４が底板４に固定されると共に、上記嵌合用凹部３５の内面の一部を、閉鎖弁取付板２４の嵌合部３６の一部を受けてこの閉鎖弁取付板２４の底板左右方向位置決めを行う受面部５４としたことを特徴としている。
【００１１】
上記請求項３の空気調和機の室外機では、立上壁１１の一方の短辺対応部１１ａの内面に閉鎖弁取付板２４の嵌合部３６の外面が当接すると共に、受面部５４にて閉鎖弁取付板２４の嵌合部３６の一部を受けて、この閉鎖弁取付板２４の底板左右方向位置決めを行うので、閉鎖弁取付板２４は室外機ケーシング内方への移動が規制され、外側方から止定部材５５を止定する際に、この閉鎖弁取付板２４に多少の押圧力が作用しても、閉鎖弁取付板２４を安定した起立状態に維持できる。
【００１２】
請求項４の空気調和機の室外機は、上記閉鎖弁取付板２４の嵌合部３６は、上下方向に延びて立上壁１１の内面に対面する上下方向部３７と、この上下方向部３７の下端から水平方向に延びて上記嵌合用凹部３５の底面に載置される水平方向部３８と、この水平方向部３８の先端から上方に向かって上記上下方向部３７から離れるように斜めに立ち上って上記受面部５４に当接する立上部３９とからなることを特徴としている。
【００１３】
上記請求項４の空気調和機の室外機では、閉鎖弁取付板２４の嵌合部３６は、上下方向に延びて立上壁１１の内面に対面する上下方向部３７と、この上下方向部３７の下端から水平方向に延びて上記嵌合用凹部３５の底面に載置される水平方向部３８と、この水平方向部３８の先端から立設されて上記受面部５４に当接する立上部３９とからなるので、この閉鎖弁取付板２４の嵌合部３６を底板４の嵌合用凹部３５に簡単に嵌合させることができ、しかも、嵌合部３６が嵌合用凹部３５に嵌合した際には、一層安定してその起立状態を維持することができる。特に、立上部３９が、上方に向かって上下方向部３７から離れるように斜めに立ち上っているので、閉鎖弁取付板２４の嵌合部３６を底板４の嵌合用凹部３５に対して一層嵌合させ易いものとなっている。
【００１４】
請求項５の空気調和機の室外機は、上記嵌合用凹部３５の突隆部４６は、底板左右方向の長手方向に沿って上記嵌合部３６の上下方向部３７と水平方向部３８と立上部３９とに対応して形成されることを特徴としている。
【００１５】
上記請求項５の空気調和機の室外機では、嵌合用凹部３５の突隆部４６は、底板左右方向の長手方向に沿って上記嵌合部３６の上下方向部３７と水平方向部３８と立上部３９とに対応して形成されるので、安定した位置決めが可能であると共に、この突隆部４６によって、嵌合用凹部３５を一層補強することができる。
【００１６】
請求項６の空気調和機の室外機は、上記閉鎖弁取付板２４の嵌合部３６の上下方向部３７に、凹部又は凸部からなる取付板側係合部６２を設けると共に、上記底板４の立上壁１１に、上記取付板側係合部６２が係合する凸部又は凹部からなる底板側係合部６３を設けたことを特徴としている。
【００１７】
上記請求項６の空気調和機の室外機では、閉鎖弁取付板２４が底板４から起立した状態では、取付板側係合部６２と底板側係合部６３とが係合するので、この閉鎖弁取付板２４の倒れを防止することができ、起立状態を安定して維持することができる。
【発明の効果】
【００１８】
請求項１の空気調和機の室外機によれば、閉鎖弁取付板の嵌合部を底板の嵌合用凹部に嵌合させれば、閉鎖弁取付板は底板から起立した状態となり、止定部材による閉鎖弁取付板の底板への固定作業において、その作業者は閉鎖弁取付板を支持しなくて済む。このため、閉鎖弁取付板の取付作業性の向上を図ることができる。また、起立作業としては、係止爪を係止孔に係止させることなく、嵌合部を嵌合用凹部に嵌合させればよいので、閉鎖弁取付板の取付作業時間の短縮を図ることができる。さらに、係止爪と係止孔とを設ける必要がないので、構造の簡略化を図ることができて、コスト低減が可能となると共に、底板及び閉鎖弁取付板の強度低下を防止することができ、しかも従来において有していた係止爪の損傷等による閉鎖弁取付板の立設状態の不安定性を解消することができる。また、底板にはドレン水排出孔以外に貫孔が形成されず、この室外機が設置されている設置部にドレン水が滴下せず、この設置部を汚すことがない。
【００１９】
請求項２の空気調和機の室外機によれば、閉鎖弁取付板を一層安定した状態で起立させることができて、組立作業性の向上を図ることができ、しかも、閉鎖弁取付板の起立状態でのガタツキを防止すると共に、閉鎖弁取付板を底板での規定の場所に精度良く立設することが可能であるので、精度の良い組立を行うことができ、室外機として高品質となる。また、嵌合用凹部の突隆部及び嵌合部の凹所が補強用のビード部となるので、強度の向上を達成でき、底板の板厚を小とすることができる。このため、コストの低減を図ると共に、軽量化を達成して、この室外機の設置作業性及び搬送性の向上を図ることができる。
【００２０】
請求項３の空気調和機の室外機によれば、外側方から止定部材を止定する際に、閉鎖弁取付板に多少の押圧力が作用しても、閉鎖弁取付板を安定した起立状態に維持できるので、止定部材による固定作業の信頼性が向上する。
【００２１】
請求項４の空気調和機の室外機によれば、閉鎖弁取付板の嵌合部が底板の嵌合用凹部に嵌合した際には、一層安定してその起立状態を維持することができる。また、閉鎖弁取付板の嵌合部を底板の嵌合用凹部に対して一層嵌合させ易いものとなっているので、組立性の一層の向上を達成できる。
【００２２】
請求項５の空気調和機の室外機によれば、安定した位置決めが可能であるので、閉鎖弁取付板のガタツキを一層防止できる。また、この突隆部によって、嵌合用凹部を一層補強することができ、閉鎖弁取付板を長期にわたって安定して底板に立設することができる。
【００２３】
請求項６の空気調和機の室外機によれば、閉鎖弁取付板の倒れを防止することができ、起立状態を安定して維持することができる。これにより、閉鎖弁取付板の組立作業性の向上を一層図ることができる。
【発明を実施するための最良の形態】
【００２４】
次に、この発明の空気調和機の室外機の具体的な実施の形態について、図面を参照しつつ詳細に説明する。図１はこの空気調和機の室外機１の底フレーム（底板）の斜視図を示し、図１０は室外機１の簡略斜視図を示している。空気調和機は室内機（図示省略）と室外機１とを備える。そして、室内機は室内熱交換器やファン等が室内機ケーシングに収納されてなり、室外機１は室外熱交換器や圧縮機やファン等が室外機ケーシング３に収納されてなる。また、室外機ケーシング３は、この図１０に示すように、上記底フレーム（底板）４と、前壁５と、後壁６と、側壁７、８と、上壁（天板）９とを備える。なお、前壁５には風通過孔１０が設けられ、この風通過孔１０に対応して上記ファンが室外機ケーシング３内に配置されている。
【００２５】
上記底フレーム４は、図１に示すように、平面視略矩形状の平板体からなる本体部１２と、その周縁部に設けられる立上壁１１とからなる。この場合、立上壁１１は、本体部１２の一方の短辺に対応する短辺対応部１１ａと、本体部１２の他方の短辺に対応する短辺対応部１１ｂと、本体部１２の一方（前方）の長辺に対応する長辺対応部１１ｃと、本体部１２の他方（後方）の長辺に対応する長辺対応部１１ｄとからなる。また、この本体部１２に、複数の凹部１５・・と複数の凸部１６・・と複数の基準平部１７・・等からなる凹凸面部１８が形成され、これによって、ドレン水排出溝２２が構成される。また、後方側の長辺対応部１１ｄの近傍の凹部１５には、ドレン水排出口２１が設けられている。なお、前方の長辺対応部１１ｃ側の短辺対応部１１ａ寄りには、平面視略円形の第１凹部１５ａが形成され、この第１凹部１５ａの外周側に、圧縮機（図示省略）を支持する圧縮機支持部２３、２３、２３が設けられている。
【００２６】
そして、この上記底フレーム４の側部、つまり一方の短辺対応部１１ａ側から閉鎖弁取付板２４が立設される。この閉鎖弁取付板２４は、本体部２５と、この本体部２５の下端に連設される突出片部２６とを備える。図２と図３に示すように、本体部２５は、その中央部に外側方に膨出した膨出部２７を有し、また、一方の縦辺部には上下一対の切欠部２８、２９が設けられると共に、両縦辺部には内鍔部３０、３１が連設されている。そして、一方（上方）の切欠部２８がガス閉鎖弁（図示省略）を取付けるための取付穴となり、他方（下方）の切欠部２９が液閉鎖弁（図示省略）を取付けるための取付穴となる。なお、各切欠部２８、２９の端縁部には鍔部３２、３２が設けられている。
【００２７】
図５と図７と図８等に示すように、この閉鎖弁取付板２４は底板４に立設されるものであって、底板４に形成された嵌合用凹部３５にその下端部の嵌合部３６が嵌合されて起立される。このため、嵌合部３６は、本体部２５の下端部と突出片部２６とで構成することができる。すなわち、嵌合部３６は、上下方向に延びる上下方向部３７と、この上下方向部３７の下端から水平方向に延びる水平方向部３８と、この水平方向部３８の先端から上方に向かって上記上下方向部３７から離れるように斜めに立上る立上部３９とからなる。また、この嵌合部３６に嵌合する嵌合用凹部３５は、図４と図９に示すように、一方の短辺対応部１１ａの近傍において、本体部１２に膨出部４０を形成することによって構成される。すなわち、嵌合用凹部３５は、短辺対応部１１ａ側に基台部４１を設けると共に、この基台部４１に膨出部４０を設けることによって形成している。この膨出部４０は、周囲壁４０ａと、扁平矩形状の上壁４０ｂとを有する。このため、嵌合用凹部３５は、この周囲壁４０ａの短辺対応部１１ａ側の傾斜面部４２と、この傾斜面部４２に相対向する短辺対応部１１ａの内面部４３と、この内面部４３と傾斜面部４２との間の基台部４１の上面部４４とで構成される。この際、嵌合用凹部３５の内面の一部を構成する内面部４３は、その上端縁に外側方に傾斜する傾斜部４５とされている。
【００２８】
ところで、上記嵌合用凹部３５の内面には一対の突隆部４６、４６が設けられている。この突隆部４６は断面半円弧状とされ、上記内面部４３に設けられる第１凸部４７と、上記上面部４４に設けられる第２凸部４８と、上記傾斜面部４２に設けられる第３凸部４９とからなる。なお、第１凸部４７は、上記傾斜部４５に対応する傾斜部対応部４７ａと、上記内面部４３の鉛直面部に対応する鉛直面部対応部４７ｂとからなる。また、図４に示すように、上記膨出部４０の周囲壁４０ａの反短辺対応部側の傾斜面部６０には、上記突隆部４６、４６に対応して、突隆部６１、６１が設けられている。この場合、突隆部６１、６１は、膨出部４０の傾斜面部６０に対応する傾斜部６１ａと、この傾斜面部６０から基準平部１７に延設される水平部６１ｂとからなる。このため、この突隆部６１、６１及び上記突隆部４６、４６等は補強用のビード部となって、膨出部４０及びその近傍を補強することができる。特に、突隆部４６、４６によって嵌合用凹部３５を補強することができる。そして、閉鎖弁取付板２４の嵌合部３６には上記突隆部４６が嵌合する凹所５０が設けられる。凹所５０は、上記突隆部４６に対応して断面半円弧状とされ、図８等に示すように、上下方向部３７に設けられる第１部５１と、水平方向部３８に設けられる第２部５２と、立上部３９に設けられる第３部５３とからなる。このため、この凹所５０を形成することによって、補強用のビード部を形成することになって、この閉鎖弁取付板２４は補強される。
【００２９】
そして、図７等に示すように、閉鎖弁取付板２４は底板４に立設された状態では止定部材５５にて底板４に固定される。この場合、例えば、止定部材５５はボルト部材（ビス）等にて構成され、短辺対応部１１ａに設けられた貫孔５６に外側方から挿入されると共に、閉鎖弁取付板２４の嵌合部３６の上下方向部３７に設けられたねじ孔５７に螺着される。なお、ねじ孔５７は、図２に示すように、閉鎖弁取付板２４の幅方向（底板前後方向）の中間部に１個設けられるだけである。また、このねじ孔５７を挟んで両縦辺部側に突起部５８、５８が設けられ、閉鎖弁取付板２４を底板４に対して起立させた状態で、図９に示すように、各突起部５８、５８が短辺対応部１１ａに設けられた貫孔５９、５９に嵌合（係合）する。すなわち、閉鎖弁取付板２４の嵌合部３６の上下方向部３７に、凸部（突起部５８）からなる取付板側係合部６２が設けられ、立上壁１１の短辺対応部１１ａに、凹部（貫孔５９）からなる底板側係合部６３が設けられ、閉鎖弁取付板２４が底板４から立設された状態で、取付板側係合部６２と底板側係合部６３とが係合する。
【００３０】
次に、上記のように構成された閉鎖弁取付板２４を底板４に取付ける方法を説明する。まず、閉鎖弁取付板２４の嵌合部３６を底板４の嵌合用凹部３５に嵌合させる。この嵌合状態では、図５等に示すように、嵌合部３６の上下方向部３７が嵌合用凹部３５の内面部４３に当接し、嵌合部３６の水平方向部３８が嵌合用凹部３５の底面（基台部４１の上面部４４）に載置され、嵌合部３６の立上部３９が嵌合用凹部３５の傾斜面部４２に当接することになって、この閉鎖弁取付板２４は底板４から自立して起立する。また、この状態では、図６から図８に示すように、凹所５０に突隆部４６が嵌合することになる。すなわち、凹所５０の第１部５１に突隆部４６の第１凸部４７が嵌合し、凹所５０の第２部５２に突隆部４６の第２凸部４８が嵌合し、凹所５０の第３部５３に突隆部４６の第３凸部４９が嵌合する。これによって、閉鎖弁取付板２４の底板前後方向位置決めが行われる。また、嵌合部３６の立上部３９が嵌合用凹部３５の傾斜面部４２に当接するので、閉鎖弁取付板２４の底板左右方向位置決めが行われる。すなわち、嵌合用凹部３５の内面の一部（傾斜面部４２）が、閉鎖弁取付板２４の嵌合部３６の一部（立上部３９）を受けてこの閉鎖弁取付板２４の底板左右方向位置決めを行う受面部５４となる。このため、閉鎖弁取付板２４の室外機ケーシング内方への倒れを規制することができる。そして、閉鎖弁取付板２４を底板４に対して起立させた状態では、図９に示すように、各突起部５８、５８が短辺対応部１１ａの貫孔５９、５９に嵌合（係合）している。
【００３１】
このように、閉鎖弁取付板２４の嵌合部３６を底板４の嵌合用凹部３５に嵌合させた状態では、凹所５０に突隆部４６が嵌合すると共に、嵌合用凹部３５の傾斜面部４２、つまり受面部５４にて閉鎖弁取付板２４の嵌合部３６の立上部３９を受けており、突起部５８、５８が短辺対応部１１ａの貫孔５９、５９に嵌合しているので、閉鎖弁取付板２４を底板４に対して起立させることができる。そして、この起立で、止定部材５５にて閉鎖弁取付板２４を底板４に固定する。すなわち、ボルト部材（ビス）等にて構成される止定部材５５にて、短辺対応部１１ａに設けられた貫孔５６に外側方から挿入すると共に、閉鎖弁取付板２４の嵌合部３６に設けられたねじ孔５７に螺着する。これによって、閉鎖弁取付板２４を底板４上に立設固定することができる。
【００３２】
上記空気調和機の室外機では、閉鎖弁取付板２４の嵌合部３６を底板４の嵌合用凹部３５に嵌合させれば、閉鎖弁取付板２４は底板４から自立した起立状態となる。このため、止定部材５５による閉鎖弁取付板２４の底板４への固定作業において、その作業者は閉鎖弁取付板２４を支持しなくて済む。このため、閉鎖弁取付板２４の取付作業性の向上を図ることができる。また、起立作業としては、係止爪を係止孔に係止させることなく、嵌合部３６を嵌合用凹部３５に嵌合させればよいので、閉鎖弁取付板２４の取付作業時間の短縮を図ることができる。さらに、係止爪と係止孔とを設ける必要がないので、構造の簡略化を図ることができて、コスト低減が可能となると共に、底板４及び閉鎖弁取付板２４の強度低下を防止することができ、しかも、従来において有していた係止爪の損傷等による閉鎖弁取付板の立設状態の不安定性を解消することができる。なお、嵌合用凹部３５の内面の一部を構成する内面部４３の上端縁に、外側方に傾斜する傾斜部４５が形成されているので、この傾斜部４５が嵌合時におけるガイドとなって、嵌合部３６の嵌合用凹部３５への嵌合作業の容易化を図ることができる。
【００３３】
また、閉鎖弁取付板２４の嵌合部３６を底板４の嵌合用凹部３５に嵌合させた状態では、嵌合部３６の凹所５０に嵌合用凹部３５の突隆部４６が嵌合して、この閉鎖弁取付板２４の底板前後方向位置決めがなされる。このため、閉鎖弁取付板２４を一層安定した状態で起立させることができて、組立作業性の向上を図ることができる。しかも、閉鎖弁取付板２４の起立状態でのガタツキを防止すると共に、閉鎖弁取付板２４を底板４での規定の場所に立設することが可能であるので、精度の良い組立を行うことができ、室外機として高品質となる。さらに、嵌合用凹部３５の突隆部４６及び嵌合部３６の凹所５０が補強用のビード部となるので、強度の向上を達成でき、底板４の板厚を小とすることができる。このため、コストの低減を図ると共に、軽量化を達成して、この室外機の設置作業性及び搬送性の向上を図ることができる。
【００３４】
さらに、立上壁１１の一方の短辺対応部１１ａの内面に閉鎖弁取付板２４の嵌合部３６の外面が当接すると共に、受面部５４にて閉鎖弁取付板２４の嵌合部３６の一部を受けて、この閉鎖弁取付板２４の底板左右方向位置決めを行うので、閉鎖弁取付板２４は室外機ケーシング内方への移動が規制され、外側方から止定部材５５を止定する際に、この閉鎖弁取付板２４に多少の押圧力が作用しても、閉鎖弁取付板２４を安定した起立状態に維持できる。このため、止定部材５５による固定作業の信頼性が向上する。
【００３５】
しかも、閉鎖弁取付板２４の嵌合部３６は、上下方向に延びて立上壁１１の内面に対面する上下方向部３７と、この上下方向部３７の下端から水平方向に延びて上記嵌合用凹部３５の底面に載置される水平方向部３８と、この水平方向部３８の先端から立設されて上記受面部５４に当接する立上部３９とからなるので、この閉鎖弁取付板２４の嵌合部３６を底板４の嵌合用凹部３５に簡単に嵌合させることができ、また弁取付板２４の嵌合部３６が底板４の嵌合用凹部３５に嵌合した際には、一層安定してその起立状態を維持することができる。特に、立上部３９が、上方に向かって上下方向部３７から離れるように斜めに立上っているので、閉鎖弁取付板２４の嵌合部３６を底板４の嵌合用凹部３５に対して一層嵌合させ易いものとなっている。これによって、組立性の一層の向上を達成できる。
【００３６】
また、嵌合用凹部３５の突隆部４６は、底板左右方向の長手方向に沿って嵌合部３６の上下方向部３７と水平方向部３８と立上部３９とに対応して形成されるので、安定した位置決めが可能であるので、閉鎖弁取付板２４のガタツキを一層防止できる。また、この突隆部４６によって、嵌合用凹部３５を一層補強することができ、閉鎖弁取付板２４を長期にわたって安定して底板４に立設することができる。
【００３７】
さらに、取付板側係合部６２と底板側係合部６３とが係合しているので、閉鎖弁取付板２４の起立状態において、その閉鎖弁取付板２４の倒れを防止することができ、その起立状態の安定した維持が可能となる。すなわち、底板４側の受面部５４及びこれに当接する嵌合部３６の立上部３９が傾斜しているので、これら傾斜面において滑って、閉鎖弁取付板２４が倒れるおそれがある。しかしながら、取付板側係合部６２と底板側係合部６３との係合によって、その倒れを確実に防止することができる。そのため、この閉鎖弁取付板２４の組立作業性の向上を一層図ることができる。
【００３８】
以上にこの発明の具体的な実施の形態について説明したが、この発明は上記形態に限定されるものではなく、この発明の範囲内で種々変更して実施することができる。例えば、閉鎖弁取付板２４の嵌合部３６として、その立上部３９が上記実施形態では、水平面に対して傾斜する傾斜壁にて構成されているが、この傾斜角度としては、嵌合用凹部３５の内面の一部にて構成される受面部５４に当接して、この閉鎖弁取付板２４の底板左右方向位置決めを行うことができる範囲で任意に設定でき、立上部３９が上下方向に延びるものであってもよい。この際、このように設定した傾斜角度に対応して嵌合用凹部３５の受面部５４の傾斜角度が設定されることになる。また、嵌合用凹部３５に設ける突隆部４６の数の増減も自由であり、嵌合部３６の上下方向部３７と水平方向部３８と立上部３９とに対応して形成することなく、上下方向部３７にのみ、水平方向部３８にのみ、立上部３９にのみ等に対応して形成されるものであってもよく、上下方向部３７と水平方向部３８と立上部３９とに対応して形成する場合であっても、連続して形成せずに、非連続に形成するものであってもよい。さらに、突隆部４６の形状としては、上記実施形態では断面半円弧状としていたが、断面三角形状、断面台形状等の種々のものであってもよい。この際、この突隆部４６が嵌合する凹所５０としてはもちろんこれらの形状に対応する形状とするのが好ましい。また、閉鎖弁取付板２４を底板４に固定する止定部材５５としては、上記実施形態では、１本のボルト部材を使用したが、１本に限るものではなく、複数本の止定部材５５を使用するものであってもよい。さらに、上記実施形態では、閉鎖弁取付板２４にねじ孔５７を設けて、このねじ孔５７に、止定部材５５としてのボルト部材を螺着するものであったが、このねじ孔５７に代えて貫通孔を設け、立上壁１１の短辺対応部１１ａの貫孔５６及び閉鎖弁取付板２４の貫通孔にボルト部材を外側方から挿通して、この貫通孔から突出したねじ部にナット部材を螺着するようにしてもよい。また、上記実施形態では、取付板側係合部６２として凸部（突起部５８）にて構成すると共に、底板側係合部６３として凹部（貫孔５９）にて構成したが、取付板側係合部６２を凹部にて構成すると共に、底板側係合部６３を凸部にて構成してもよく、取付板側係合部６２と底板側係合部６３の数としても増減可能である。さらに、上記実施形態では、凹部として、短辺対応部１１ａの内外を貫通する貫孔５９を使用したが、このような貫通孔でなくて、凹みをもって構成してもよい。
【図面の簡単な説明】
【００３９】
【図１】この発明の空気調和機の室外機の実施形態を示す要部斜視図である。
【図２】上記室外機の閉鎖弁取付板の斜視図である。
【図３】上記室外機の閉鎖弁取付板の側面図である。
【図４】上記室外機の底板の要部斜視図である。
【図５】上記閉鎖弁取付板を底板から起立させた状態を示す断面図である。
【図６】上記図５のＡ−Ａ線断面図である。
【図７】上記図６のＢ−Ｂ線断面図である。
【図８】上記図６のＣ−Ｃ線断面図である。
【図９】閉鎖弁取付板を底板から起立させた状態の断面平面図である。
【図１０】上記空気調和機の室外機の簡略斜視図である。
【符号の説明】
【００４０】
３・・室外機ケーシング、４・・底板、１１・・立上壁、１１ａ・・短辺対応部、２４・・閉鎖弁取付板、３５・・嵌合用凹部、３６・・嵌合部、３７・・上下方向部、３８・・水平方向部、３９・・立上部、４６・・突隆部、５０・・凹所、５４・・受面部、５５・・止定部材、６２・・取付板側係合部、６３・・底板側係合部
【図１】
2005055127.tif 000003
【図２】
2005055127.tif 000004
【図３】
2005055127.tif 000005
【図４】
2005055127.tif 000006
【図５】
2005055127.tif 000007
【図６】
2005055127.tif 000008
【図７】
2005055127.tif 000009
【図８】
2005055127.tif 000010
【図９】
2005055127.tif 000011
【図１０】
2005055127.tif 000012